(57)【要約】【課題】ハウジングの外面とカバーとによって囲まれる空間に浸入した水滴が、ハウジングに設けられた挿通孔を介してハウジング内に浸入し、回路ブロックに水滴が付着してしまうことを防ぎ、さらに、単純な金型構造でハウジングを成型することができる光電式自動点滅器を提供する。【解決手段】内部に収納した回路ブロック１の操作ツマミ３１１ａ，３１１ｂを前面に露出する挿通孔２１１ａ，２１１ｂを設けたハウジング７と、ハウジング７の前面に覆設される化粧カバー１とを備え、ハウジング７は挿通孔２１１ａ，２１１ｂの上方にひさし２５０を設けることにより、ハウジング７の表面を流れる水滴が、挿通孔２１１ａ，２１１ｂを介してハウジング７内に浸入することを防ぐ。【選択図】図１
2009129862.tif 000002
【特許請求の範囲】
【請求項１】
周囲照度を検出する照度検出手段を具備して、検出した周囲照度に基づいて照明負荷への給電を入切し、照明負荷を点滅させる回路ブロックと、
内部に回路ブロックを収納するハウジングと、
ハウジングの一面に覆設されるカバーとを備え、
ハウジングの一面には、回路ブロックに設けた操作子を挿通させる挿通孔を形成した操作面と、操作面の上方からハウジングの幅方向の両端にわたって突出して形成されたひさしとを有することを特徴とする光電式自動点滅器。
【請求項２】
前記ひさしは、両幅方向に各々向かうにつれて、下方向に傾斜したテーパー形状であることを特徴とする請求項１に記載の光電式自動点滅器。
【請求項３】
前記ひさしの上方の前記ハウジングの一面は、鉛直方向に形成された垂直面であり、
前記操作面は、垂直面よりも前記ハウジングの一面に対向する他面方向に位置することを特徴とする請求項１に記載の光電式自動点滅器。
【請求項４】
前記ハウジングの一面の幅方向の両端から連続するハウジングの両側面は、前記ひさしの前記幅方向の両端上面と連結する溝を形成されたことを特徴とする請求項２に記載の光電式自動点滅器。
【請求項５】
前記ひさしは、両幅方向に各々向かうにつれて、下方向に傾斜した円弧形状であることを特徴とする請求項１に記載の光電式自動点滅器。
【請求項６】
周囲照度を検出する照度検出手段を具備して、検出した周囲照度に基づいて照明負荷への給電を入切し、照明負荷を点滅させる回路ブロックと、
内部に回路ブロックを収納するハウジングと、
ハウジングの一面に覆設されるカバーとを備え、
回路ブロックは、外部からの配線が接続される接続部が鉛直下方向に露出した端子部を備えていることを特徴とする光電式自動点滅器。
【発明の詳細な説明】
【技術分野】
【０００１】
本発明は、建造物などに取り付けられて使用される光電式自動点滅器に関するものである。
【背景技術】
【０００２】
従来から、周囲の照度を検出して、検出した照度が所定照度よりも低くなったときに、外部電源から照明負荷への給電をオンして照明負荷を点灯し、検出した照度が所定照度よりも高くなったときに、外部電源から照明負荷への給電をオフして照明負荷を消灯する、いわゆるＥＥスイッチと称される自動点滅器が提供されている（例えば特許文献１参照）。
【０００３】
この種の自動点滅器としては、図１０（ａ）（ｂ）、及び図１１（ａ）（ｂ）に示すような自動点滅器が提供されている。図１０（ａ）（ｂ）に示す自動点滅器は、構造物の壁面などに設置されるベース９４０と、後面を開口してベース９４０の前面に覆設されるカバー９１０とでハウジング９７０が構成され、ハウジング９７０内には、周囲照度を検出する照度センサを具備して、検出した周囲照度に基づいて照明負荷への給電を入切し、照明負荷を点滅させる回路ブロック（図示なし）が収納される。
【０００４】
ここで、図１０（ａ）の上方向を自動点滅器の前方、下方向を後方、左上方向を上方、右下方向を下方とした場合、カバー９１０は、その後面下端をベース９４０の上端に嵌め合わせた後、下方にスライドさせることでベース９４０の前面に覆設する。そして、カバー９１０の下面後端の両側に設けた一対の係止突起９１１ａ，９１１ａ（一方は図示せず）が、ベース９４０の前面にＬ型に形成された係止部９４２ａ、９４２ｂに係止することでカバー９１０がベース９４０に固定される。
【０００５】
また、図１１（ａ）（ｂ）に示す自動点滅器は、構造物の壁面などに設置されるベース９４５と、後面を開口してベース９４５の前面に覆設される内器カバー９２５とでハウジング９７５が構成され、内器カバー９２５の前面に化粧カバー９１５が覆設される。ハウジング９７５内には、周囲照度を検出する照度センサを具備して、検出した周囲照度に基づいて照明負荷への給電を入切し、照明負荷を点滅させる回路ブロック（図示なし）が収納される。
【０００６】
ここで、図１１（ａ）において、上方向を自動点滅器の前方、下方向を後方、左上方向を上方、右下方向を下方とした場合、化粧カバー９１５は、その後面下端をハウジング９７５の上端に嵌め合わせた後、下方にスライドさせることでハウジング９７５の前面に覆設する。化粧カバー９１５の前面裏側の略中央には、図１５に示すように、係止突起９９５が設けられており、ハウジング９７５の前面下端に設けられた係止片９４３に化粧カバーの係止突起９９５を係止させることで化粧カバー９１５がハウジング９７５に固定される。
【特許文献１】特開２００５−０５０６６４号公報
【発明の開示】
【発明が解決しようとする課題】
【０００７】
ところで、従来の光電式自動点滅器は、照明負荷への給電の入切を切り替える周囲の照度レベル（閾値）などを設定するための操作子は回路ブロックに設けられており、ハウジングの内部に収納されていた。そのため、操作子により照度レベルなどの操作設定を行う際には、例えば、図１０（ｂ）に示すようにカバー９１０をベース９４０から外したり、図１１（ｂ）の内器カバー９２５をベース９４５から外すなどをして、操作子を操作する必要があり、操作設定に手間がかかった。
【０００８】
また、光電式自動点滅器のハウジング前面に挿通孔を設け、回路ブロックの操作子を露出させた場合、光電式自動点滅器は屋外に配置されるため、水滴がハウジングの挿通孔を介してハウジング内に浸入してしまう。
【０００９】
例えば、図１０（ａ）（ｂ）に示す光電式自動点滅器は、ハウジング９７０はカバー９１０とベース９４０とで構成されているため、カバー９１０に挿通孔を形成した場合、水が直接かかることによって、挿通孔を介して水がハウジング９７０内に浸入してしまう。
【００１０】
また、図１１（ａ）（ｂ）に示す光電式自動点滅器は、ハウジング９７５は内器カバー９２５とベース９４５とで構成されており、内器カバー９２５の前面には、さらに、化粧カバー９１５が覆設されている。しかし、化粧カバー９１５と内器カバー９２５とのすき間に水滴が浸入した際、内器カバー９２５の外面を伝って水滴が流れるため、内器カバー９２５に挿通孔を形成した場合、挿通孔を介して水がハウジング９７５内に浸入してしまう。
【００１１】
そして、ハウジング９７０及びハウジング９７５の中には、上記回路ブロックが収納されているため、ハウジング９７０及びハウジング９７５の中に浸入した水が、照度センサの検出感度の劣化や、回路ブロック内の抵抗、コンデンサ、ＩＣ等の回路素子の短絡などを引き起こしていた。
【００１２】
また、従来の光電式自動点滅器は、ハウジングの上面に付着した水を側方に向かって流すための水路を形成した溝を形成していた。例えば、図１０の光電式自動点滅器では、ベース９４０の上面斜視図及び側面図である図１２（ａ）（ｂ）に示すように、溝９８０はベース９４０の上端に形成されている。また、図１１の光電式自動点滅器のハウジング９７５の上面斜視図及び側面図である図１３（ａ）（ｂ）では、溝９８５が内器カバー９２５の上端に形成されている。この溝９８０及び溝９８５を樹脂の成型作業において形成するためには、スライドコア金型を用いる必要があり、金型費用がかさむとともに、成型作業が煩雑になって成型時間がかかり、その結果、製造コストが高くなるといった問題があった。
【００１３】
さらに、従来の光電式自動点滅器は、図１１の後面斜視図及び側面断面図である図１４及び図１５に示すように、外部電源や照明負荷から導出された配線９８１を回路ブロックと電気的に接続するための端子部９８２と、その端子部９８２に設けられた、配線９８１の端部が接続される複数の接続部９８３が、ハウジング９７５の後面から後方に向かって露出されていた。このため、配線９８１を伝う水滴により、端子部９８２に水滴が付着し、さらには、その水滴がハウジング９７５の中に浸入し、その結果、回路ブロック（図示せず）に水滴が付着してしまうという問題があった。
【００１４】
本発明は、上記事由に鑑みてなされたものであり、その目的は、ハウジングの外面とカバーとによって囲まれる空間に浸入した水滴が、ハウジングに設けられた挿通孔を介してハウジング内に浸入し、回路ブロックに水滴が付着してしまうことを防ぎ、さらに、単純な金型構造でハウジングを成型することができる光電式自動点滅器を提供することにある。
【課題を解決するための手段】
【００１５】
請求項１の発明は、周囲照度を検出する照度検出手段を具備して、検出した周囲照度に基づいて照明負荷への給電を入切し、照明負荷を点滅させる回路ブロックと、内部に回路ブロックを収納するハウジングと、ハウジングの一面に覆設されるカバーとを備え、ハウジングの一面には、回路ブロックに設けた操作子を挿通させる挿通孔を形成した操作面と、操作面の上方からハウジングの幅方向の両端にわたって突出して形成されたひさしとを有することを特徴とする。
【００１６】
この発明によれば、ハウジングの外面とカバーとによって囲まれる空間に水滴が浸入し、ハウジングの外面を伝って上方から下方へと流れた際に、操作面の上方に設けられたひさしによって水滴をせき止めて操作面に水滴を流さないことで、水滴が操作面に設けた挿通孔を介してハウジング内に浸入することを防ぎ、これにより、ハウジングの内部に収納した回路ブロックに水滴が付着することを防ぐことができる。また、ハウジングの一面をカバーが覆設しているため、ハウジングに直接水がかかることを防ぐことができ、これにより、ハウジングの内部に収納した回路ブロックに水滴が付着することを一層防ぐことができる。さらに、ひさしはハウジングの一面から突出して形成されているため、単純な金型構造でハウジングを成型することができる。
【００１７】
請求項２の発明は、請求項１において、ひさしは、両幅方向に各々向かうにつれて、下方向に傾斜したテーパー形状であることを特徴とする。
【００１８】
この発明によれば、ひさしによってせき止めた水滴がひさしの上面から、両幅方向の各々に向かって流れて、両幅方向先端より水滴が流れ落ちるため、ひさしの上面から前方に水があふれて下方に流れ、その水滴が操作面に達することを防止することができる。
【００１９】
請求項３の発明は、請求項１において、ひさしの上方のハウジングの一面は、鉛直方向に形成された垂直面であり、操作面は、垂直面よりも前記ハウジングの一面に対向する他面方向に位置することを特徴とする。
【００２０】
この発明によれば、ひさしの上方のハウジングの一面は垂直面に形成されるので、斜面に形成した場合に比べて、ひさしの突出寸法を大きくすることができる。したがって、ひさしの上面に溜まった水がひさしの先端に達することを抑えることができ、さらには、毛細管現象により水滴がひさしの上面から下面に移動することを防ぐことができる。また、毛細管現象によりひさしの下面に水滴が移動した場合でも、操作面は、垂直面よりもハウジングの一面に対向する他面方向に位置するため、移動した水滴が操作面に達しにくくすることができる。さらに、水滴はハウジングの外面を伝って、垂直面に沿って垂直に流れるため、水滴がひさしの上面を通って、ひさしの先端から流れ落ちることを防ぐことができる。
【００２１】
請求項４の発明は、請求項２において、ハウジングの一面の幅方向の両端から連続するハウジングの両側面は、ひさしの前記幅方向の両端上面と連結する溝を形成されたことを特徴とする。
【００２２】
この発明によると、ひさしの幅方向に流れた水滴は、ハウジングの両側面に形成された溝を介してハウジングの両側面に流れるため、ひさしの上面に溜まった水滴をすみやかに流すことができる。
【００２３】
請求項５の発明は、請求項１において、ひさしは、両幅方向に各々向かうにつれて、下方向に傾斜した円弧形状であることを特徴とする。
【００２４】
この発明によれば、ひさしによってせき止めた水滴がひさしの上面から、両幅方向の各々に向かって流れて、両幅方向先端より水滴が流れ落ちるため、ひさしの上面から前方に水があふれて下方に流れ、その水滴が操作面に達することを防止することができる。
【００２５】
請求項６の発明は、周囲照度を検出する照度検出手段を具備して、検出した周囲照度に基づいて照明負荷への給電を入切し、照明負荷を点滅させる回路ブロックと、内部に回路ブロックを収納するハウジングと、ハウジングの一面に覆設されるカバーとを備え、回路ブロックは、外部からの配線が接続される接続部が鉛直下方向に露出した端子部を備えていることを特徴とする。
【００２６】
この発明によれば、回路ブロックは、外部からの配線が接続される接続部が鉛直下方向に露出した端子部を備えているため、外部からの配線は回路ブロックの端子部に対して下方から上方に向かって接続されるため、配線の表面を伝う水滴は、端子部に達しない。これにより、回路ブロックの端子部を伝って回路ブロックに水滴が付着することを防止することができる。
【発明の効果】
【００２７】
以上に説明したように、本発明では、ハウジングの外面とカバーとによって囲まれる空間に浸入した水滴が、ハウジングに設けられた挿通孔を介してハウジング内に浸入し、回路ブロックに水滴が付着してしまうことを防ぐことができ、さらに、単純な金型構造でハウジングを成型することができるという効果がある。
【発明を実施するための最良の形態】
【００２８】
以下、本発明の実施の形態を図面に基づいて説明する。
【００２９】
（実施形態１）
本実施形態の自動点滅器を、図１〜図６を用いて説明する。ここで、図２において、上方向を自動点滅器の上方、下方向を下方、右方向を右方、左方向を左方、手前を前方、奥を後方とする。本実施形態の自動点滅器は、矩形状のベース４と、ベース４の前面に設置される回路ブロック３と、後面を開口してベース４と回路ブロック３の前面に覆設される内器カバー２と、内器カバー２の前面に覆設される化粧カバー１とを備え、ベース４に内器カバー２を覆設することによりハウジング７が構成される。そして、ハウジング７内に水が浸入することを防ぐために、ベース４と構造物の壁面などの設置面との間にパッキン５が設けられる。
【００３０】
回路ブロック３は、図３に示すように、周囲照度を検出する照度センサ３２を基板３１の前面に実装し、照度センサ３２が検出した周囲照度に基づいて照明負荷（図示せず）への給電を入切し、照明負荷を点滅させる機能を有する。基板３１の前面には、照度センサ３２以外に、サイリスタを用いて照明負荷へ供給する電力を制御することで照明負荷の点灯、消灯、調光を行う複数の回路素子群３３と、照明負荷への給電の入切を切り替える周囲の照度レベル（閾値）を設定する可変抵抗３１ａと、可変抵抗３１ａの抵抗値を変化させる操作ツマミ３１１ａと、照明負荷点灯時の調光レベルを設定する可変抵抗３１ｂと、可変抵抗３１ｂの抵抗値を変化させる操作ツマミ３１１ｂと、を実装している。基板３１の後面左右上方には、外部電源及び照明負荷を一端に設けた配線８５ａ及び８５ｂが下方から接続される接続部３６ａ，３６ａ（一方は図示せず）を鉛直下方向に露出した端子部３５ａ，３５ｂを実装している。また、基板３１の両側下方には、ベース４に内器カバー２を固定する後述の取り付けネジ６が挿通する切欠部３４ａ，３４ｂを形成され、基板３１の上端略中央と下端略中央には、切欠部３４ｃ，３４ｄが設けられている。
【００３１】
ベース４は、例えば、不透光性の合成樹脂などにより、上方に矩形の開口部４３ａ，４３ｂを左右方向に並設した略長方形の平板状に形成されている。また、ベース４の四隅には、ベース４と内器カバー２とを固定するための取り付けネジ６が後方から挿通される挿通孔４１が形成されており、ベース４の上端略中央と下端略中央には、支持凹部４２ａ，４２ｂが設けられている。
【００３２】
内器カバー２は、図３，図４に示すように、例えば不透光性の合成樹脂などにより、下方に向かうにしたがって前方に突出する曲面状の上面２ａと、上面２ａの下端と連結して、鉛直方向に形成された垂直面２ｃと、垂直面２ｃの下端と連結して、下方に向かうにしたがって後方に傾斜した段差面２ｄと、段差面２ｄの下端と連結して、下方に垂直方向に形成された操作面２１７と、操作面２１７の下端と連結して、下方に向かうにしたがって後方に傾斜した平面状の下面２ｂとを備えている。
【００３３】
操作面２１７には、挿通孔２１１ａ，２１１ｂと、採光孔２１２が設けられており、挿通孔２１１ａ，２１１ｂは、基板３１上の操作ツマミ３１１ａ，３１１ｂが挿通して操作面２１７から前方に突出し、採光孔２１２を介して照度センサー３２が前方に露出する。
【００３４】
また、操作面２１７の前面には、挿通孔２１１ａ，２１１ｂと採光孔２１２にそれぞれ対応した孔２２０ａ，２２０ｂ，２２０ｃを設けた設定説明ラベル２２０が貼られており、設定説明ラベル２２０には、操作ツマミ３１１ａによる自動点滅器の照明負荷への給電の入切を切り替える照度レベルの操作設定と、操作ツマミ３１１ｂによる照明負荷点灯時の調光レベルの操作設定を示した説明が記載されている。
【００３５】
さらに、内器カバー２の段差面２ｄの上端には、前方に突出したひさし２５０を左右方向に形成し、ひさし２５０の左右両側端の各々からは、下方に延設されて、内器カバーの側面に連続した左鍔部２６０ａ及び右鍔部２６０ｂを形成している。
【００３６】
ひさし２５０は、内器カバー２の左右方向略中央に形成された中央部２５１ｃと、中央部２５１ｃから内器カバー２の左端に向かうにつれて下方に傾斜した左テーパー部２５１ａと、中央部２５１ｃから内器カバー２の右端に向かうにつれて下方に傾斜した右テーパー部２５１ｂとからなり、テーパー形状となっている。
【００３７】
内器カバー２の内側の四隅には、取り付けネジ６を螺入させるためのネジ孔（図示せず）が設けられており、ベース４の挿通孔４１を挿通したネジ６が当該ネジ孔に螺入することで内器カバー２がベース４に取り付けられる。内器カバー２の内面の上部及び下部には、左右方向の略中央から支柱部２１３ａ，２１３ｂが突設している。
【００３８】
内器カバー２の上面２ａの上端略中央には、凹部２１４ａが設けられており、その凹部２１４ａ上端には、化粧カバー１に設けられた係止部１２を係止する、Ｕ字状の被係止部２１４が設けられている。
【００３９】
内器カバー２の下面２ｂの下端からは、線状の切欠２１５ａ，２１５ａが上方に向かって形成され、切欠２１５ａと２１５ａとの間には、撓み片２１５が形成される。そして、撓み片２１５の表面下端略中央には矩形の操作片２１６を下方に突出して設けており、操作片２１６の両側では、撓み片２１５の裏面下端に沿って、化粧カバー１に設けられたロック爪１３，１３（図５参照）を係止する帯状の係止突起（図示せず）が設けられている。また、図６に示すように、操作片２１６の裏面両側下端から撓み片２１５の裏面上端に亘って上方に垂直に突出した板状のリブ２１９ａ，２１９ａが、前方から後方に向かうにしたがって下方に傾斜して形成されている。そして、撓み片２１５の裏面両側下端から撓み片２１５の裏面上端に亘って上方に垂直に突出した板状のリブ２１９ｂが、前方から後方に向かうにしたがって下方に傾斜して形成されている。
【００４０】
化粧カバー１は、図３，図５に示すように、不透明性の合成樹脂などにより、後面を開口して形成しており、上面１ａは下方に行くほど後面からの突出寸法を大きくするように前方に曲面状に傾斜しており、下面１ｂは上方に行くほど後面からの突出寸法を大きくするように前方に平面状に傾斜している。下面１ｂには、周囲の光を照度センサ３２に取り込むための採光孔１１が形成され、採光孔１１には、透明性の合成樹脂などからなる採光窓１１１が化粧カバー１の後方から装着されている。化粧カバー１の上端略中央からは、図５に示すように、後端が上方に屈曲した係止片１２ｂを備えた突出片１２ａからなる係止部１２が突出しており、係止片１２ｂは内器カバー２のＵ字状の被係止部２１４の先端２１４ｂに係止する。下面１ｂの後端略中央には内器カバー２の操作片２１６が前面に露出可能な切欠凹部１２１が設けられており、切欠凹部１２１の両側には、内器カバー２の係止突起に係止する帯状のロック爪１３，１３が上方に向かって突設している。
【００４１】
パッキン５は、自動点滅器内に水が浸入することを防止するためのものであり、例えばゴム材料などで略長方形に形成されており、中央には開口部５１を設けている。
【００４２】
本実施形態の自動点滅器は上記の部材により構成されており、各部材は次のように配置されている。
【００４３】
ベース４の前面に回路ブロック３が載置されると、ベース４の開口部４３ａ，４３ｂからは回路ブロック３の端子部３５ａ，３５ｂが、各々後方へ突出し、端子部３５ａ，３５ｂの下面からは接続部３６ａ，３６ａが鉛直下方向に露出する。そして、回路ブロック３の基板３１に形成された切欠部３４ａ，３４ｂは、ベース４の下方の挿通孔４１，４１に対向して配置される。
【００４４】
次に、回路ブロック３が載置されたベース４の前面に内器カバー２の後面側を覆設し、内器カバー２の内面に設けた支柱部２１３ａ、２１３ｂが、支持凹部４２ａ，４２ｂにそれぞれ挿通し、支柱部２１３ａの外周に設けた段差部２１３ｃが支持凹部４２ａの下端に設けた鍔部４２ｃに係合し、支柱部２１３ｂの外周に設けた段差部２１３ｄが支持凹部４２ｂの下端に設けた鍔部４２ｄに係合することで、内器カバー２がベース４に対して位置決めされる。また、基板３１上の操作ツマミ３１１ａ，３１１ｂは内器カバー２の操作面２１７に形成された挿通孔２１１ａ，２１１ｂおよび設定説明ラベル２２０の孔２２０ａ，２２０ｂに挿通して、内器カバー２の前方に突出しており、基板３１上の照度センサ３２は内器カバー２の操作面２１７に形成された採光孔２１２および設定説明ラベル２２０の孔２２０ｃを介して前方に臨む。
【００４５】
そして、取り付けねじ６をベース４の後方から挿通孔４１に挿通させ、内器カバー２の裏面に設けたネジ孔（図示せず）に螺入することで内器カバー２がベース４に固定され、ベース４と内器カバー２とによってハウジング７が形成される。
【００４６】
その後、化粧カバー１の係止片１２ｂを内器カバー２の凹部２１４ａに挿入し、係止片１２ｂの上面を被係止部２１４の先端２１４ｂに当接させる。そして、係止片１２ｂと先端２１４ｂの当接部分を支点にして、化粧カバー１の下端を下方に回動させることで係止片１２ｂが先端２１４ｂに係止し、次に化粧カバー１のロック爪１３，１３を内器カバー２の係止突起に係止させる。これにより、化粧カバー１をハウジング７の前面に覆設する。
【００４７】
また、壁面に設置されたパッキン５の前面の外周に沿って形成した嵌合溝５２に、ベース４後端の外周を嵌め合わせることで、ベース４にパッキン５が取り付けられる。そして、パッキン５の開口部５１から回路ブロック３の端子部３５ａ，３５ｂが後方に露出し、端子部３５ａ，３５ｂの下面からは、接続部３６ａ，３６ａが鉛直下方に向けて露出する。そして、図６，図７に示すように、端子部３５ａの接続部３６ａは外部電源からの配線８５ａが下方から接続される入力部を構成し、端子部３５ｂの接続部３６ａは、照明器具からの配線８５ｂが下方から接続される出力部を構成する。
【００４８】
そして、回路ブロック３は、化粧カバー１の採光窓１１１、設定説明ラベル２２０の孔２２０ｃ、内器カバー２の採光孔２１２を介して外部から入射した周囲の光を照度センサ３２により検出し、この検出した周囲の照度と所定照度とを比較して、周囲の照度が所定照度よりも低くなったときに、外部電源から照明負荷への給電をオンして照明負荷を点灯し、周囲照度が点灯照度よりも高くなったときに、外部電源から照明負荷への給電をオフして照明負荷を消灯するという動作を行う。上述の周囲照度と比較される所定照度（閾値）は操作ツマミ３１１ａによって可変抵抗３１ａの抵抗値を変化させることで設定され、点灯時の照明負荷の調光レベルは操作ツマミ３１１ｂによって可変抵抗３１ｂの抵抗値を変化させることで設定される。
【００４９】
このような本実施形態の自動点滅器は、ひさし２５０が挿通孔２１１ａ，２１１ｂ及び採光孔２１２を備えた操作面２１７の上方を覆うように形成されているため、水滴が内器カバー２の前面と化粧カバー１の裏面とのすき間に浸入し、内器カバー２の上面２ａ及び垂直面２ｃを伝って下方へ流れても、このひさし２５０が水滴をせき止めて、ひさし２５０の下方に設けられた操作面２１７に水滴を流さない。これにより、操作面２１７に形成された挿通孔２１１ａ，２１１ｂを介して、ハウジング７内に水滴が浸入することを防ぐことができ、回路ブロック３に水滴が付着することを防ぐことができる。
【００５０】
また、ひさし２５０は、中央部２５１ｃと左テーパー部２５１ａと右テーパー部２５１ｂとからなるテーパー形状をしており、ひさし２５０のひさし上面２５０ａでせき止めた水滴が左右方向の各々に向かって流れる。これにより、ひさし２５０の前端に水があふれて下方に流れ、その水滴が操作面２１７の挿通孔２１１ａ，２１１ｂ及び、採光孔２１２に達することを防止できる。
【００５１】
さらに、ひさし２５０の左テーパー部２５１ａの左端及び右テーパー部２５１ｂの右端に達した水滴は、操作面２１７の左端及び右端に設けられた左鍔部２６０ａ及び右鍔部２６０ｂを伝って下方に流れる。これにより、左テーパー部２５１ａの左端及び右テーパー部２５１ｂの右端から流れ落ちた水滴が、内器カバー２の操作面２１７の挿通孔２１１ａ，２１１ｂ及び採光孔２１２に達することを防止できる。
【００５２】
また、本実施形態の自動点滅器は、ひさし２５０の上方の垂直面２ｃは鉛直方向に形成されているため、垂直面２ｃを斜面で形成した場合よりも、ひさし２５０の突出寸法を大きくすることができる。したがって、ひさし２５０でせき止めた水滴をひさし２５０の前端に達しにくくすることができ、これにより、ひさし上面２５０ａに達した水滴が、毛細管現象によりひさし下面２５０ｂに移動することを防止できる。
【００５３】
そして、毛細管現象により、ひさし下面２５０ｂに水滴が移動した場合でも、操作面２１７は、段差面２ｄを介して垂直面２ｃよりも後方に位置するため、ひさし２５０の下面に移動した水滴が操作面２１７に達しにくくすることができる。さらには、水滴は内器カバー２の上面を伝って、垂直面２ｃに沿って垂直に流れるため、水滴がひさし上面２５０ａを通って、ひさし２５０の前端から流れ落ちることを防止できる。
【００５４】
また、本実施形態の自動点滅器において、ひさし２５０は、内器カバー２から前方に突出して形成されている。これにより、樹脂の成型作業において、単純な金型構造で内器カバー２を成型することができ、内器カバー２の製造コストを安くすることができる。
【００５５】
また、本実施形態の自動点滅器は、ハウジング７の前面には化粧カバー１が覆設されているため、自動点滅器を屋外に設置した際に、ハウジング７に対して、雨などの水が直接かかることを防ぐことができる。これにより、ハウジング７の内部に収納した回路ブロック３に水滴が付着することを一層防ぐことができる。
【００５６】
さらに、本実施形態の自動点滅器は、回路ブロック３の後方に突出した端子部３５ａ，３５ｂの接続部３６ａ，３６ａが鉛直下方に向けて露出している。これにより、配線８５ａ，８５ｂの表面を伝う水滴は、接続部３６ａ，３６ａに対して下方から接続されるため、配線８５ａ，８５ｂの表面を伝って流れる水滴は、端子部３５ａ，３５ｂに達することがない。このため、端子部３５ａ，３５ｂを介して回路ブロック３に水滴が付着することを防止できる。
【００５７】
（実施形態２）
本実施形態の自動点滅器を、図８を用いて説明する。本実施形態の自動点滅器は、上記の実施形態１に比べて、図８に示すように内器カバー２の構成が異なっており、これによって、ひさし２５０の上面の水滴が内器カバー２の両側面２ｅ，２ｆに流れるようにしたことに特徴がある。尚、その他の構造は上記実施形態１と同様であるので、同一の構成には同一の符号を付し説明を省略する。
【００５８】
内器カバー２は、実施形態１の内器カバー２に加えて、内器カバー２の左側面２ｅ及び右側面２ｆに溝部２７０ａ，２７０ｂ（一方は図示せず）を設けている。
【００５９】
溝部２７０ａ，２７０ｂは、内器カバー２の両側面２ｅ，２ｆの上下方向略中央に、断面略コの字状に形成されている。そして、溝部２７０ａ，２７０ｂの前端は、左テーパー部２５１ａの上面左端及び右テーパー部２５１ｂの上面右端と連結しており、溝部２７０ａ，２７０ｂの後端はそれぞれ、内器カバー２の側面２ｅ及び２ｆの後端まで延設されている。
【００６０】
このように、本実施形態の自動点滅器は、ひさし上部２５０ａの左右各々に向けて流れた水滴は、左テーパー部２５１ａの上面左端及び右テーパー部２５１ｂの上面右端に達し、その後、内器カバー２の側面２ｅ，２ｆの溝部２７０ａ，２７０ｂに流れ込む。これにより、ひさし上面２５０ａに溜まった水滴をすみやかに溝２７０ａ，２７０ｂに流し、側面２ｅ，２ｆに伝わせて下方へ流すことができる。
【００６１】
また、本実施形態の自動点滅器の他の構成は実施形態１と同様であるため、実施形態１と同様の効果を奏する。
【００６２】
（実施形態３）
本実施形態の自動点滅器を、図９を用いて説明する。本実施形態の自動点滅器は、上記の実施形態２に比べて、図９に示すように内器カバー２に設けたひさしの形状が異なっており、これによって、水滴を内器カバー２の左右に向けて流れるようにしたことに特徴がある。尚、その他の構造は上記実施形態２と同様であるので、同一の構成には同一の符号を付し説明を省略する。
【００６３】
内器カバー２は、実施形態２の内器カバー２に代えて、段差面２ｄの上端に、内器カバー２の中央から左端および右端に各々向かうにつれて下方に傾斜した円弧形状のひさし２８０を形成している。
【００６４】
したがって、ひさし２８０の上面でせき止めた水滴が、ひさし２８０の左右方向の各々に向かって流れる。これにより、ひさし２８０の上面から前端に水があふれて下方に流れ、その水滴が操作面２１７に達することを防止できる。
【００６５】
また、本実施形態の自動点滅器の他の構成は実施形態２と同様であるため、実施形態２と同様の効果を奏する。
【図面の簡単な説明】
【００６６】
【図１】実施形態１の光電式自動点滅器の断面図である。
【図２】同上の前面図である。
【図３】同上の分解斜視図である。
【図４】同上の前面図（化粧カバーなし）である。
【図５】同上の化粧カバーの裏面とハウジングの斜視図である。
【図６】同上の配線を接続したときの後面の斜視図である。
【図７】同上の配線を接続したときの断面図である。
【図８】実施形態２の光電式自動点滅器の斜視図である。
【図９】実施形態３の光電式自動点滅器の斜視図である。
【図１０】（ａ）（ｂ）従来の光電式自動点滅器の斜視図及び分解斜視図である。
【図１１】（ａ）（ｂ）従来の光電式自動点滅器の斜視図及び分解斜視図である。
【図１２】（ａ）（ｂ）従来の光電式自動点滅器のベース上方からの斜視図及び側面図である。
【図１３】（ａ）（ｂ）従来の光電式自動点滅器のハウジング上方からの斜視図及び側面図である。
【図１４】従来の光電式自動点滅器の配線を接続したときの後面図である。
【図１５】同上の配線を接続したときの断面図である。
【符号の説明】
【００６７】
１          化粧カバー
２          内器カバー
２ｃ        垂直面
２１７      操作面
２５０      ひさし
３          回路ブロック
３１１ａ    操作ツマミ
３２        照度センサ
４          ベース
５          パッキン
７          ハウジング
【図１】
2009129862.tif 000003
【図２】
2009129862.tif 000004
【図３】
2009129862.tif 000005
【図４】
2009129862.tif 000006
【図５】
2009129862.tif 000007
【図６】
2009129862.tif 000008
【図７】
2009129862.tif 000009
【図８】
2009129862.tif 000010
【図９】
2009129862.tif 000011
【図１０】
2009129862.tif 000012
【図１１】
2009129862.tif 000013
【図１２】
2009129862.tif 000014
【図１３】
2009129862.tif 000015
【図１４】
2009129862.tif 000016
【図１５】
2009129862.tif 000017